(57)【要約】      （修正有）【課題】通信ネットワークの通信負荷を低減することができる情報配信装置を提供する。【解決手段】情報配信システム１００において、情報配信装置５０は、提供元のサーバである上位システムから複数の表示情報を取得する取得部と、取得部で取得した複数の表示情報及び複数の表示情報それぞれを配置するための複数の配置情報を含むレイアウト情報に基づいて配信情報を生成する生成部５５と、生成部で生成した配信情報を表示装置２０へ送信する送信部と、取得部で取得した表示情報が更新されたか否かを判定する判定部５３と、判定部で表示情報が更新されたと判定した場合、更新された表示情報を表示装置へ送信すべく制御する制御部５１とを備える。【選択図】図１
2018180806.tif 000002
【特許請求の範囲】
【請求項１】
複数の表示情報で構成される配信情報を表示装置へ配信する情報配信装置であって、
前記複数の表示情報を取得する取得部と、
該取得部で取得した複数の表示情報及び該複数の表示情報それぞれを配置するための複数の配置情報を含むレイアウト情報に基づいて配信情報を生成する生成部と、
該生成部で生成した配信情報を前記表示装置へ送信する送信部と、
前記取得部で取得した表示情報が更新されたか否かを判定する判定部と、
該判定部で表示情報が更新されたと判定した場合、更新された表示情報を前記表示装置へ送信すべく制御する制御部と
を備える情報配信装置。
【請求項２】
前記制御部は、
前記判定部で表示情報が更新されたと判定した場合、更新された表示情報を配置するための配置情報を前記表示装置へ送信すべく制御する請求項１に記載の情報配信装置。
【請求項３】
前記判定部で表示情報が更新されたと判定した場合、更新された表示情報を配置するための配置情報を変更する変更部を備え、
前記制御部は、
前記変更部で変更した配置情報を前記表示装置へ送信すべく制御する請求項２に記載の情報配信装置。
【請求項４】
複数の表示情報で構成される配信情報を表示装置へ配信する情報配信装置であって、
前記複数の表示情報のうちの任意の表示情報が更新されたか否かを判定する判定部と、
該判定部で表示情報が更新されたと判定した場合、該表示情報が更新された旨を通知する通知情報、又は更新された表示情報の表示態様を変更するための表示態様情報を前記表示装置へ送信する送信部と
を備える情報配信装置。
【請求項５】
任意の表示情報の更新回数又は更新頻度を計数する計数部を備え、
前記送信部は、
前記計数部で計数した計数結果に応じて異なる表示態様情報を前記表示装置へ送信する請求項４に記載の情報配信装置。
【請求項６】
請求項１から請求項５のいずれか一項に記載の情報配信装置と、該情報配信装置が配信する配信情報を表示する表示装置とを備える情報配信システム。
【請求項７】
前記表示装置は、
前記情報配信装置の送信部が送信した情報を受信する受信部と、
該受信部で前記通知情報を受信した場合、受信した通知情報に係る表示情報の表示態様を変更して表示する表示部と
を備える請求項６に記載の情報配信システム。
【請求項８】
前記表示装置は、
前記情報配信装置の送信部が送信した情報を受信する受信部と、
該受信部で前記表示態様情報を受信した場合、受信した表示態様情報に基づいて該表示態様情報に係る表示情報の表示態様を変更して表示する表示部と
を備える請求項７に記載の情報配信システム。
【請求項９】
複数の表示情報で構成される配信情報を表示する表示部を備える表示装置であって、
前記複数の表示情報を取得する表示情報取得部と、
該表示情報取得部で取得した表示情報が更新されたか否かを判定する判定部と
を備え、
前記表示部は、
前記判定部で更新されたと判定した表示情報の表示態様を変更して表示する表示装置。
【請求項１０】
前記複数の表示情報それぞれを配置するための複数の配置情報を含むレイアウト情報を記憶する記憶部と、
前記判定部で更新されたと判定した表示情報を配置するための配置情報を変更する変更部と
を備え、
前記表示部は、
前記変更部で変更された配置情報に係る表示情報の表示態様を変更して表示する請求項９に記載の表示装置。
【請求項１１】
任意の表示情報の更新回数又は更新頻度を計数する計数部を備え、
前記表示部は、
前記計数部で計数した計数結果に応じて前記表示情報の表示態様を変更して表示する請求項９又は請求項１０に記載の表示装置。
【請求項１２】
任意の表示情報の表示態様を変更する旨の通知情報を取得する通知情報取得部を備え、
前記表示部は、
前記通知情報取得部で取得した通知情報に係る表示情報の表示態様を変更して表示する請求項９から請求項１１のいずれか一項に記載の表示装置。
【請求項１３】
任意の表示情報の表示態様を変更するための表示態様情報を取得する表示態様情報取得部を備え、
前記表示部は、
前記表示態様情報取得部で取得した表示態様情報に基づいて前記表示情報の表示態様を変更して表示する請求項９から請求項１１のいずれか一項に記載の表示装置。
【請求項１４】
コンピュータに、複数の表示情報で構成される配信情報を表示装置へ配信させるためのコンピュータプログラムであって、
コンピュータに、
前記複数の表示情報を取得する処理と、
取得した複数の表示情報及び該複数の表示情報それぞれを配置するための複数の配置情報を含む所定のレイアウト情報に基づいて配信情報を生成する処理と、
生成した配信情報を前記表示装置へ送信する処理と、
取得した表示情報が更新されたか否かを判定する処理と、
表示情報が更新されたと判定した場合、更新された表示情報を前記表示装置へ送信すべく制御する処理と
を実行させるコンピュータプログラム。
【請求項１５】
コンピュータに、複数の表示情報で構成される配信情報を表示装置へ配信させるためのコンピュータプログラムであって、
コンピュータに、
前記複数の表示情報のうちの任意の表示情報が更新されたか否かを判定する処理と、
表示情報が更新されたと判定した場合、該表示情報が変更された旨を通知する通知情報、又は更新された表示情報の表示態様を変更するための表示態様情報を前記表示装置へ送信する処理と
を実行させるコンピュータプログラム。
【請求項１６】
複数の表示情報で構成される配信情報を表示装置へ配信する情報配信方法であって、
前記複数の表示情報を取得部が取得し、
取得された複数の表示情報及び該複数の表示情報それぞれを配置するための複数の配置情報を含む所定のレイアウト情報に基づいて配信情報を生成部が生成し、
生成された配信情報を前記表示装置へ送信部が送信し、
取得された表示情報が更新されたか否かを判定部が判定し、
表示情報が更新されたと判定された場合、更新された表示情報を前記表示装置へ送信すべく制御部が制御する情報配信方法。
【請求項１７】
複数の表示情報で構成される配信情報を表示装置へ配信する情報配信方法であって、
前記複数の表示情報のうちの任意の表示情報が更新されたか否かを判定部が判定し、
表示情報が更新されたと判定した場合、該表示情報が変更された旨を通知する通知情報、又は更新された表示情報の表示態様を変更するための表示態様情報を前記表示装置へ送信部が送信する情報配信方法。
【発明の詳細な説明】
【技術分野】
【０００１】
本開示は、情報配信装置、情報配信システム、表示装置、コンピュータプログラム及び情報配信方法に関する。
【背景技術】
【０００２】
近年、通信ネットワークの普及に伴って、通信ネットワーク上のサーバから様々な場所に設置された表示装置へ画像を含む情報を配信する情報配信システム（コンテンツ配信システム）が実用化されている。
【０００３】
例えば、表示装置がコンテンツデータの更新日時の取得要求を周期的にサーバへ送信し、コンテンツデータが更新されている場合、表示装置は、コンテンツ取得要求をサーバへ送信して、更新後のコンテンツデータを取得するコンテンツ配信システムが開示されている（特許文献１参照）。
【先行技術文献】
【特許文献】
【０００４】
【特許文献１】特開２０１５−１１８４９１号公報
【発明の概要】
【発明が解決しようとする課題】
【０００５】
しかし、特許文献１のようなシステムにあっては、コンテンツデータが更新された場合、サーバは、更新後のすべてのコンテンツデータを表示装置へ送信するため、通信ネットワークの通信負荷が増大する。
【０００６】
本開示は、斯かる事情に鑑みてなされたものであり、通信ネットワークの通信負荷を低減することができる情報配信装置、情報配信システム、表示装置、コンピュータプログラム及び情報配信方法を明らかにする。
【課題を解決するための手段】
【０００７】
本開示の実施の形態に係る情報配信装置は、複数の表示情報で構成される配信情報を表示装置へ配信する情報配信装置であって、前記複数の表示情報を取得する取得部と、該取得部で取得した複数の表示情報及び該複数の表示情報それぞれを配置するための複数の配置情報を含むレイアウト情報に基づいて配信情報を生成する生成部と、該生成部で生成した配信情報を前記表示装置へ送信する送信部と、前記取得部で取得した表示情報が更新されたか否かを判定する判定部と、該判定部で表示情報が更新されたと判定した場合、更新された表示情報を前記表示装置へ送信すべく制御する制御部とを備える。
【０００８】
本開示の実施の形態に係る情報配信装置は、複数の表示情報で構成される配信情報を表示装置へ配信する情報配信装置であって、前記複数の表示情報のうちの任意の表示情報が更新されたか否かを判定する判定部と、該判定部で表示情報が更新されたと判定した場合、該表示情報が更新された旨を通知する通知情報、又は更新された表示情報の表示態様を変更するための表示態様情報を前記表示装置へ送信する送信部とを備える。
【０００９】
本開示の実施の形態に係る情報配信システムは、本開示の実施の形態に係る情報配信装置と、該情報配信装置が配信する配信情報を表示する表示装置とを備える。
【００１０】
本開示の実施の形態に係る表示装置は、複数の表示情報で構成される配信情報を表示する表示部を備える表示装置であって、前記複数の表示情報を取得する表示情報取得部と、該表示情報取得部で取得した表示情報が更新されたか否かを判定する判定部とを備え、前記表示部は、前記判定部で更新されたと判定した表示情報の表示態様を変更して表示する。
【００１１】
本開示の実施の形態に係るコンピュータプログラムは、コンピュータに、複数の表示情報で構成される配信情報を表示装置へ配信させるためのコンピュータプログラムであって、コンピュータに、前記複数の表示情報を取得する処理と、取得した複数の表示情報及び該複数の表示情報それぞれを配置するための複数の配置情報を含む所定のレイアウト情報に基づいて配信情報を生成する処理と、生成した配信情報を前記表示装置へ送信する処理と、取得した表示情報が更新されたか否かを判定する処理と、表示情報が更新されたと判定した場合、更新された表示情報を前記表示装置へ送信すべく制御する処理とを実行させる。
【００１２】
本開示の実施の形態に係るコンピュータプログラムは、コンピュータに、複数の表示情報で構成される配信情報を表示装置へ配信させるためのコンピュータプログラムであって、コンピュータに、前記複数の表示情報のうちの任意の表示情報が更新されたか否かを判定する処理と、表示情報が更新されたと判定した場合、該表示情報が変更された旨を通知する通知情報、又は更新された表示情報の表示態様を変更するための表示態様情報を前記表示装置へ送信する処理とを実行させる。
【００１３】
本開示の実施の形態に係る情報配信方法は、複数の表示情報で構成される配信情報を表示装置へ配信する情報配信方法であって、前記複数の表示情報を取得部が取得し、取得された複数の表示情報及び該複数の表示情報それぞれを配置するための複数の配置情報を含む所定のレイアウト情報に基づいて配信情報を生成部が生成し、生成された配信情報を前記表示装置へ送信部が送信し、取得された表示情報が更新されたか否かを判定部が判定し、表示情報が更新されたと判定された場合、更新された表示情報を前記表示装置へ送信すべく制御部が制御する。
【００１４】
本開示の実施の形態に係る情報配信方法は、複数の表示情報で構成される配信情報を表示装置へ配信する情報配信方法であって、前記複数の表示情報のうちの任意の表示情報が更新されたか否かを判定部が判定し、表示情報が更新されたと判定した場合、該表示情報が変更された旨を通知する通知情報、又は更新された表示情報の表示態様を変更するための表示態様情報を前記表示装置へ送信部が送信する。
【発明の効果】
【００１５】
本開示によれば、通信ネットワークの通信負荷を低減することができる。
【図面の簡単な説明】
【００１６】
【図１】第１実施形態の情報配信システムの構成の一例を示すブロック図である。
【図２】第１実施形態の表示装置の構成の一例を示すブロック図である。
【図３】本実施の形態の情報配信システムが用いるレイアウト情報の一例を示す模式図である。
【図４】本実施の形態の情報配信システムが用いる表示情報の一例を示す模式図である。
【図５】本実施の形態の情報配信システムが会議室予約システムで用いるレイアウト情報及び表示情報の一例を示す説明図である。
【図６】本実施の形態の情報配信システムにより表示装置の表示部に表示される配信情報の要部の第１例を示す模式図である。
【図７】本実施の形態の情報配信システムに用いられる更新された表示情報の一例を示す説明図である。
【図８】本実施の形態の情報配信システムにより表示装置の表示部に表示される更新後の配信情報の要部の一例を示す模式図である。
【図９】本実施の形態の情報配信システムに用いられる更新された表示情報及び当該表示情報を配置するための配置情報の一例を示す説明図である。
【図１０】本実施の形態の情報配信システムに用いられる更新されたレイアウト情報の一例を示す説明図である。
【図１１】本実施の形態の情報配信システムにより表示装置の表示部に表示される配信情報の要部の第２例を示す模式図である。
【図１２】本実施の形態の情報配信システムが作業指示システムで用いるレイアウト情報及び表示情報の一例を示す説明図である。
【図１３】本実施の形態の情報配信システムにより表示装置の表示部に表示される配信情報の要部の第３例を示す模式図である。
【図１４】本実施の形態の情報配信システムが講義予定通知システムで用いるレイアウト情報及び表示情報の一例を示す説明図である。
【図１５】本実施の形態の情報配信システムにより表示装置の表示部に表示される配信情報の要部の第４例を示す模式図である。
【図１６】本実施の形態の情報配信システムにより表示装置の表示部に表示される更新後の配信情報の要部の一例を示す模式図である。
【図１７】本実施の形態の情報配信システムにより表示装置の表示部に表示される更新後の表示情報の表示態様の一例を示す模式図である。
【図１８】本実施の形態の情報配信システムにより表示装置の表示部に表示される配信情報の要部の第５例を示す模式図である。
【図１９】本実施の形態の情報配信装置の構成の他の例を示すブロック図である。
【図２０】第１実施形態の情報配信装置が行う処理手順の一例を示すフローチャートである。
【図２１】第１実施形態の情報配信装置が行う処理手順の一例を示すフローチャートである。
【図２２】第２実施形態の情報配信システムの構成の一例を示すブロック図である。
【図２３】第２実施形態の表示装置の構成の一例を示すブロック図である。
【図２４】第２実施形態の表示装置が行う処理手順の一例を示すフローチャートである。
【発明を実施するための形態】
【００１７】
（第１実施形態）
以下、本開示の実施の形態を図面に基づいて説明する。図１は第１実施形態の情報配信システム１００の構成の一例を示すブロック図である。情報配信システム１００は、例えば、情報配信装置５０、情報配信装置５０と通信ネットワークを介して接続される表示装置２０などを備える。なお、表示装置２０は、図示のとおり、複数でもよく、また１台でもよい。また、情報配信装置５０には、上位システム１０を接続することができる。
【００１８】
情報配信システム１００は、様々な場所、利用シーンで使用され、一例を挙げれば、オフィスなどで使用される会議室予約システム、工場などで使用される作業指示システム、大学、予備校又は教育機関などで使用される講義予定通知システム、店舗などで使用される価格表示システム、公共の場所などで使用される広告システムなどを含む。なお、情報配信システム１００は、これらに限定されるものではない。
【００１９】
上位システム１０は、表示装置２０で表示される配信情報を構成する複数の表示情報を情報配信装置５０へ提供する提供元のサーバなどである。なお、所要のタイミングで上位システム１０から表示情報を情報配信装置５０へ送信してもよく、あるいは、情報配信装置５０が上位システム１０に対して表示情報の取得要求を送信し、上位システム１０から表示情報を取得するようにしてもよい。
【００２０】
表示装置２０は、例えば、液晶モニタ、有機ＥＬモニタ、パーソナルコンピュータ、タブレット端末、携帯電話、電子ペーパ、表示デバイスなどであり、無電源状態でも表示保持可能な表示媒体も含む。
【００２１】
情報配信装置５０は、装置全体を制御する制御部５１、通信部５２、判定部５３、記憶部５４、生成部５５、変更部５６などを備える。
【００２２】
通信部５２は、上位システム１０及び表示装置２０との間の通信機能を有し、上位システム１０及び表示装置２０との間で所要の情報の送信及び受信をすることができる。通信部５２は、取得部としての機能を有し、上位システム１０から複数の表示情報を取得する。配信情報は、複数の表示情報で構成される。表示情報は、オブジェクト又はコンテンツとも称し、例えば、テキスト情報（文字情報）を含む。なお、表示情報には、画像、図形又は記号などを含めることもできる。
【００２３】
記憶部５４は、複数の配置情報を含むレイアウト情報を記憶する。記憶部５４は、時間、場所あるいは利用シーン等に対応付けて複数の異なるレイアウト情報を記憶する。時間、場所あるいは利用シーン等に合わせて最適なレイアウト情報が選択される。なお、レイアウト情報の詳細は後述する。
【００２４】
生成部５５は、取得した複数の表示情報及び当該複数の表示情報それぞれを配置するための複数の配置情報を含むレイアウト情報に基づいて配信情報を生成する。配置情報は、表示装置２０の表示画面に表示される配信情報上で、表示情報がどの位置に配置されるかを示す情報であり、例えば、表示画面の横方向の位置をｘ座標で表し、縦方向の位置をｙ座標で表すことができる。一つの表示情報に一つの配置情報を対応させることができる。
【００２５】
通信部５２は、送信部としての機能を有し、生成部５５で生成した配信情報を表示装置２０へ送信する。表示装置２０は、配信情報を受信し、受信した配信情報を表示画面に表示させることができる。
【００２６】
次に、表示情報が更新される場合について説明する。複数の表示情報で構成される配信情報の中で、一部の表示情報が変更される場合がある。例えば、会議室予約システムで使用される配信情報の場合、場所、会議の目的、会議室の予約者などの複数の表示情報によって配信情報が構成される。そして、予約者が変更になった場合には、当該表示情報が変更される。
【００２７】
判定部５３は、通信部５２で取得した表示情報が更新されたか否かを判定する。
【００２８】
制御部５１は、判定部５３で表示情報が更新されたと判定した場合、更新された表示情報を表示装置２０へ送信すべく制御する。更新された表示情報を含む配信情報全体を表示装置２０へ送信するのではなく、更新された表示情報を送信する（更新されていない表示情報は送信しない）ことにより、情報配信装置５０と表示装置２０との間の通信ネットワークに係る通信負荷を低減することができる。
【００２９】
また、表示装置２０が、無電源状態でも表示保持可能な表示媒体である場合、更新が必要な表示情報について表示書き替え処理を行なえばよいので、配信情報全体を書き替える場合に比較して、表示装置２０の消費電力を低減することができる。
【００３０】
図２は第１実施形態の表示装置２０の構成の一例を示すブロック図である。表示装置２０は、表示画面を有する表示部２１、通信部２２、表示処理部２３などを備える。また、表示処理部２３は、画像作成処理部２３１などを備える。なお、画像作成処理部２３１は必須の構成ではなく、表示装置２０は、画像作成処理部２３１を具備しなくてもよい。
【００３１】
通信部２２は、情報配信装置５０との間の通信機能を有し、情報配信装置５０から所要の情報を受信する。
【００３２】
表示処理部２３は、情報配信装置５０から受信した配信情報（表示情報及び配置情報を含む）を表示部２１に表示する処理を行う。また、画像作成処理部２３１は、情報配信装置５０から更新された表示情報を受信した場合、受信した表示情報を、当該表示情報に対応する配置情報を用いて、配信情報の中に当該表示情報を組み込んで配信情報を更新する機能を有する。
【００３３】
次に、本実施の形態の情報配信システム１００の一例として会議室予約システムの場合について具体的に説明する。
【００３４】
図３は本実施の形態の情報配信システム１００が用いるレイアウト情報の一例を示す模式図である。図３に示すように、レイアウト情報は、模式的には、配置NO.、配置情報、表示項目NO.などで構成される。配置NO.は、表示画面に表示される一つの配信情報の中に配置される表示情報（表示項目）の数を示し、例えば、Ｌ１、Ｌ２、…の如く区別される。
【００３５】
配置情報は、一つの表示情報に対応させることができる。配置情報は、表示装置２０の表示画面に表示される配信情報上で、表示情報がどの位置に配置されるかを示す情報であり、例えば、表示画面の横方向の位置をｘ座標で表し、縦方向の位置をｙ座標で表すことができる。（ｘ、ｙ）座標は、一つの表示情報を囲む矩形状の枠を想定した場合、当該枠の４隅のうちの一箇所の隅の位置でもよく、当該枠の中心位置でもよい。配置情報は、配置NO.に対応させて、（ｘ１、ｙ１）、（ｘ２、ｙ２）、…の如く表すことができる。
【００３６】
表示項目NO.は、配置情報毎に、当該配置情報によって配置される表示情報を特定する識別子であり、例えば、配置NO.に対応させて、Ｄ１、Ｄ２、…の如く表すことができる。
【００３７】
図４は本実施の形態の情報配信システム１００が用いる表示情報の一例を示す模式図である。図４に示すように、表示情報は、例えば、表示項目NO.、表示情報などで構成される。例えば、表示項目NO.がＤ１の表示情報は「第１会議室」というテキスト情報であり、表示項目NO.がＤ２の表示情報は「山田太郎」というテキスト情報であることを示す。なお、表示情報は、オブジェクト又はコンテンツとも称し、図４に示すように、テキスト情報（文字情報）を含む。なお、表示情報には、画像、図形又は記号などを含めることもできる。
【００３８】
図５は本実施の形態の情報配信システム１００が会議室予約システムで用いるレイアウト情報及び表示情報の一例を示す説明図である。図５において、「レイアウトＡ」は、レイアウト情報を識別するためのものであり、利用シーン等に応じて選択するレイアウト情報を識別する。<object>から</object>までの記述が、一つの配置情報であることを示し、<itemName>のRoomNameが表示項目NO.を表す。また、<positionX>と</positionX>との間に記述されている数値が、ｘ座標を示し、<positionY>と</positionY>との間に記述されている数値が、ｙ座標を示す。表示情報については、<item>から</item>までの記述が、一つの表示情報であることを示し、<name>のRoomNameが表示項目NO.を表す。また、<value>と</value>との間に記述されている「第１会議室」が表示情報を示す。図５の例では、RoomName、UserName01、MeetingTitle01などが配置情報と表示情報とを対応付ける表示項目NO.に相当する。なお、配置情報（x座標、ｙ座標）は、表示情報の大きさ（例えば、フォントサイズ）に応じて、適宜変更することができる。
【００３９】
図６は本実施の形態の情報配信システム１００により表示装置２０の表示部２１に表示される配信情報の要部の第１例を示す模式図である。図６に示す配信情報は、図５に示したレイアウト情報及び表示情報によって生成される配信情報を示す。図６に示すように、配信情報は、「第１会議室」、「山田太郎」、「開発者会議」などの表示情報（テキスト情報）で構成され、それぞれの配置情報に従って配置されている。
【００４０】
次に、表示情報が更新される場合について説明する。
【００４１】
図７は本実施の形態の情報配信システム１００に用いられる更新された表示情報の一例を示す説明図である。図７に示す更新された表示情報は、<name>のUserName01の<value>と</value>との間に記述が「鈴木次郎」となっており、図５に示した例と比較すると、「山田太郎」が「鈴木次郎」に変更されていることがわかる。
【００４２】
図８は本実施の形態の情報配信システム１００により表示装置２０の表示部２１に表示される更新後の配信情報の要部の一例を示す模式図である。図６の例と比較すると、図８では、「山田太郎」から「鈴木次郎」に変更されていることが分かる。
【００４３】
上述のように、制御部５１は、判定部５３で表示情報が更新されたと判定した場合、更新された表示情報（図７の例では、「鈴木次郎」というテキスト情報を含む表示情報）を表示装置２０へ送信すべく制御する。更新された表示情報を含む配信情報全体を表示装置２０へ送信するのではなく、更新された表示情報を送信する（更新されていない表示情報は送信しない）ことにより、情報配信装置５０と表示装置２０との間の通信ネットワークに係る通信負荷を低減することができる。
【００４４】
次に、表示装置２０が、画像作成処理部２３１を具備しない場合について説明する。
【００４５】
制御部５１は、判定部５３で表示情報が更新されたと判定した場合、更新された表示情報を配置するための配置情報を表示装置２０へ送信すべく制御する。すなわち、制御部５１は、更新された表示情報及び該表示情報を配置するための配置情報の両方を表示装置２０へ送信する。
【００４６】
図９は本実施の形態の情報配信システム１００に用いられる更新された表示情報及び当該表示情報を配置するための配置情報の一例を示す説明図である。図９に示す更新された表示情報は、図７の場合と同様に、<name>のUserName01の<value>と</value>との間に記述が「鈴木次郎」となっており、図５に示した例と比較すると、「山田太郎」が「鈴木次郎」に変更されていることがわかる。
【００４７】
また、配置情報は、<itemName>がUserName01であり、<name>がUserName01の表示情報を配置するための配置情報であることが分かる。これにより、表示装置２０が画像作成機能（例えば、表示情報と配置情報とを対応付けて配置情報が指定する座標に表示情報を組み込むような機能）を具備しない場合でも、表示装置２０は更新された表示情報を含む配信情報を表示することができる。また、情報配信装置５０は、更新された表示情報及び該表示情報を配置するための配置情報だけを表示装置２０へ送信されるので、情報配信装置５０と表示装置２０との間の通信ネットワークに係る通信負荷を低減することができる。
【００４８】
次に、表示情報のレイアウトを変更する場合について説明する。
【００４９】
図１０は本実施の形態の情報配信システム１００に用いられる更新されたレイアウト情報の一例を示す説明図である。図１０において、「レイアウトＢ」は、レイアウト情報を識別するためのものであり、利用シーン等に応じて選択するレイアウト情報を識別する。図５に示した「レイアウトＡ」のレイアウト情報と比較すると、<itemName>がRoomName、UserName01、及びMeetingTitle01それぞれの<positionX>及び<positionX>の数値が変更されていることが分かる。
【００５０】
図１１は本実施の形態の情報配信システム１００により表示装置２０の表示部２１に表示される配信情報の要部の第２例を示す模式図である。図１１に示す配信情報は、図１０に示したレイアウト情報によって更新される配信情報を示す。図６に例示した配信情報と比較して、図１１の例では、「第１会議室」の位置が変更され、また、「山田太郎」、「開発者会議」の表示情報（テキスト情報）が横書きから縦書きに変更されている。
【００５１】
上述のように、変更部５６は、配置情報を変更することができる。
【００５２】
また、変更部５６は、判定部５３で表示情報が更新されたと判定した場合、更新された表示情報を配置するための配置情報を変更することができる。表示情報の更新は、例えば、漢字、ひらがな、英語（ローマ字）などの間での変更を含む。配置情報の変更は、例えば、表示情報を横書きから縦書きに変更する場合、あるいは表示情報を縦書きから横書きに変更する場合、表示情報の大きさ（例えば、フォントサイズ）などに応じてｘ座標又はｙ座標などを変更する場合等を含む。
【００５３】
例えば、広告、案内情報などを表示装置２０で表示する場合、配信情報を通常は漢字で表示しているとする。そして、配信情報を外国人向けに英語表記又はローマ字表記などに変更した場合には、縦書きのレイアウトを横書きのレイアウトに変更することができる。また、配信情報を子供又は老人向けにひらがな表記などに変更した場合には、フォントサイズを大きくすべくレイアウトを変更することができる。
【００５４】
制御部５１は、変更部５６で変更した配置情報を表示装置２０へ送信すべく制御する。すなわち、制御部５１は、更新された表示情報及び変更した配置情報の両方を表示装置２０へ送信する。これにより、更新される表示情報に応じて、適切なレイアウトに変更することができる。
【００５５】
次に、本実施の形態の情報配信システム１００の一例として作業指示システムの場合について具体的に説明する。
【００５６】
図１２は本実施の形態の情報配信システム１００が作業指示システムで用いるレイアウト情報及び表示情報の一例を示す説明図である。図１２において、<itemName>のProductName、quantity、OrderDateなどが表示項目NO.を表す。また、<positionX>と</positionX>との間に記述されている数値が、ｘ座標を示し、<positionY>と</positionY>との間に記述されている数値が、ｙ座標を示す。表示情報については、<item>から</item>までの記述が、一つの表示情報であることを示し、<name>のProductName、quantity、OrderDate などが表示項目NO.を表す。また、<value>と</value>との間に記述されている「ＤＮ５５０ＡＳ固定金具」、「５０００」などが表示情報を示す。図１２の例では、ProductName、quantity、OrderDate などが配置情報と表示情報とを対応付ける表示項目NO.に相当する。
【００５７】
図１３は本実施の形態の情報配信システム１００により表示装置２０の表示部２１に表示される配信情報の要部の第３例を示す模式図である。図１３に示す配信情報は、図１２に示したレイアウト情報及び表示情報によって生成される配信情報を示す。図１３に示すように、「ＤＮ５５０ＡＳ固定金具」、「５０００」などの表示情報（テキスト情報）が、所定の書式を有する作業指示書の所定箇所に配置されている。
【００５８】
次に、本実施の形態の情報配信システム１００の一例として講義予定通知システムの場合について具体的に説明する。
【００５９】
図１４は本実施の形態の情報配信システム１００が講義予定通知システムで用いるレイアウト情報及び表示情報の一例を示す説明図である。図１４において、<itemName>のRoomNo、Date、S1Departmentなどが表示項目NO.を表す。また、<positionX>と</positionX>との間に記述されている数値が、ｘ座標を示し、<positionY>と</positionY>との間に記述されている数値が、ｙ座標を示す。表示情報については、<item>から</item>までの記述が、一つの表示情報であることを示し、<name>のRoomNo、Date、S1Department などが表示項目NO.を表す。また、<value>と</value>との間に記述されている「７５０３」、「８月３日（金）」、「２年  電気電子工学科」などが表示情報を示す。図１４の例では、RoomNo、Date、S1Departmentなどが配置情報と表示情報とを対応付ける表示項目NO.に相当する。
【００６０】
図１５は本実施の形態の情報配信システム１００により表示装置２０の表示部２１に表示される配信情報の要部の第４例を示す模式図である。図１５に示す配信情報は、図１４に示したレイアウト情報及び表示情報によって生成される配信情報を示す。図１５に示すように、「７５０３」、「８月３日（金）」、「２年  電気電子工学科」などの表示情報（テキスト情報）が、所要の大きさで所定箇所に配置されている。
【００６１】
図１６は本実施の形態の情報配信システム１００により表示装置２０の表示部２１に表示される更新後の配信情報の要部の一例を示す模式図である。図１５の例と比較すると、図１６では、「２年  情報通信工学科」、「工業力学ＩＩおよび演習」、「難波  太郎先生」から「３年  数理工学科」、「情報理論ＩＩＩ」、「山本  真先生」に変更されていることが分かる。
【００６２】
次に、表示情報が更新された場合の表示態様について説明する。
【００６３】
判定部５３は、複数の表示情報のうちの任意の表示情報が更新されたか否かを判定する。複数の表示情報で構成される配信情報の中で、一部の表示情報が変更される場合がある。例えば、前述の会議室予約システムで使用される配信情報の場合、場所、会議の目的、会議室の予約者などの表示情報で配信情報が構成される。そして、予約者が変更になった場合には、当該表示情報が変更される。
【００６４】
通信部５２は、判定部５３で表示情報が更新されたと判定した場合、表示情報が更新された旨を通知する通知情報、又は更新された表示情報の表示態様を変更するための表示態様情報を表示装置２０へ送信する。
【００６５】
表示装置２０は、通信部２２で通知情報を受信した場合、更新された表示情報の表示態様を変更して表示することができる。
【００６６】
図１７は本実施の形態の情報配信システム１００により表示装置２０の表示部２１に表示される更新後の表示情報の表示態様の一例を示す模式図である。図１７の例では、１時限目の「工業力学ＩＩおよび演習」という講義が休講になったので、１時限目の表示箇所に、目立つように大きなフォントサイズの「休講」（符号２１ａ）という文字を表示している。なお、表示態様としては、目立つものであればよく、例えば、「休講」の文字の色を目立つ色に変更する、「休講」の文字を反転表示にする、「休講」の背景色を変更する、「休講」の文字を点滅させるなどの方法がある。
【００６７】
また、図１７に示すように、４時限目の「工業力学ＩＩおよび演習」という講義の教室が変更になったので、４時限目の表示箇所に、目立つように、変更後の教室番号等を含む講義に関する情報（符号２１ｂ）を表示している。なお、表示態様としては、目立つものであればよく、例えば、文字の色を目立つ色に変更する、文字を反転表示にする、背景色を変更する、文字を点滅させるなどの方法がある。また、表示態様としては、拡大表示、ポップアップ画面の表示などでもよい。
【００６８】
表示態様の変更は、予め表示装置２０で設定しておいてもよく、あるいは、情報配信装置５０が表示態様情報を表示装置２０へ送信することにより、表示態様の変更を情報配信装置５０側で決定してもよい。
【００６９】
上述の構成により、複数の表示情報で構成される配信情報の中で、どの表示情報が更新されたのかが容易に確認することができ、利用者の利便性が向上する。
【００７０】
次に、本実施の形態の情報配信システム１００の一例として価格表示システムの場合について具体的に説明する。
【００７１】
図１８は本実施の形態の情報配信システム１００により表示装置２０の表示部２１に表示される配信情報の要部の第５例を示す模式図である。図１８に示すように、表示装置２０の表示部２１には、例えば、「本日の特価」、「商品番号１００１０２００」、「通常価格２６８０円のところ」、「１４９０円」（符号２１ｃ）などの表示情報が表示される。そして、更新された表示情報が、「１４９０円」という文字であるとする。「１４９０円」という文字の表示態様としては、目立つものであればよく、例えば、文字の色を目立つ色に変更する、文字を反転表示にする、背景色を変更する、文字を点滅させるなどの方法がある。また、表示態様としては、拡大表示、ポップアップ画面の表示などでもよい。
【００７２】
上述のように、表示装置２０は、情報配信装置５０の通信部５２が送信した情報を受信する通信部２２を備え、通信部２２で通知情報を受信した場合、受信した通知情報に係る表示情報の表示態様を変更して表示部２１に表示する。表示態様の変更は、例えば、表示情報（又は当該表示情報の背景など）の色の変更、反転表示、点滅表示、拡大表示、ポップアップ画面の表示などを含む。これにより、複数の表示情報で構成される配信情報の中で、どの表示情報が更新されたのかが容易に確認することができ、利用者の利便性が向上する。
【００７３】
また、表示装置２０は、通信部２２で表示態様情報を受信した場合、受信した表示態様情報に基づいて当該表示態様情報に係る表示情報の表示態様を変更して表示部２１に表示する。表示装置２０が、表示態様情報を受信することにより、表示装置２０は、表示態様情報に従って、更新された表示情報の表示態様を変更して表示することができる。これにより、複数の表示情報で構成される配信情報の中で、どの表示情報が更新されたのかが容易に確認することができ、利用者の利便性が向上する。
【００７４】
また、制御部５１は、計数部としての機能を有し、任意の表示情報の更新回数又は更新頻度を計数する。通信部５２は、制御部５１で計数した計数結果に応じて異なる表示態様情報を表示装置２０へ送信することができる。例えば、更新回数又は更新頻度が多いほど、より目立ちやすい表示態様で更新された表示情報を表示することができる。これにより、更新回数又は更新頻度の多少を把握することができる。
【００７５】
図１９は本実施の形態の情報配信装置５０の構成の他の例を示すブロック図である。図１９に示すように、図１に例示した、制御部５１、判定部５３、生成部５５及び変更部５６は、ＣＰＵ５７１、ＲＯＭ５７２、ＲＡＭ５７３、記録媒体読取部５７４などで構成することができる。ＣＰＵ５７１、ＲＯＭ５７２、ＲＡＭ５７３、記録媒体読取部５７４を纏めて符号５７で表す。記録媒体に記録されたコンピュータプログラムを記録媒体読取部５７４で読み取ってＲＡＭ５７３に格納することができる。ＲＡＮ５７３に格納されたコンピュータプログラムをＣＰＵ５７１で実行させることにより、図１に例示した、制御部５１、判定部５３、生成部５５及び変更部５６で行う処理を実行することができる。なお、ＣＰＵ５７１は、プロセッサ、プロセッサデバイス、プロセッシングユニットなどの総称とし、１又は複数で構成することができる。また、コンピュータプログラムは、記録媒体読取部５７４で読み取る構成に代えて、インターネットなどのネットワークを介してダウンロードすることもできる。
【００７６】
次に、本実施の形態の情報配信装置５０の動作について説明する。図２０及び図２１は第１実施形態の情報配信装置５０が行う処理手順の一例を示すフローチャートである。以下では、便宜上処理の主体を制御部５１として説明する。制御部５１は、上位サーバ１０から複数の表示情報を取得し（Ｓ１１）、当該複数の表示情報に対応するレイアウト情報を記憶部５４から選択して読み出し（Ｓ１２）、選択したレイアウト情報の配置情報を用いて配信情報を生成する（Ｓ１３）。
【００７７】
制御部５１は、生成した配信情報を表示装置２０へ送信する（Ｓ１４）。制御部５１は、表示情報の更新の有無を判定し（Ｓ１５）、更新がない場合（Ｓ１５でＮＯ）、ステップＳ１５の処理を行う。表示情報の更新があった場合（Ｓ１５でＹＥＳ）、制御部５１は、更新回数を計数し（Ｓ１６）、更新された表示情報を表示装置２０へ送信する（Ｓ１７）。
【００７８】
制御部５１は、更新回数（又は更新頻度でもよい）の計数結果に応じた表示態様情報（ステップＳ１７で送信した表示情報に係る表示態様情報）を表示装置２０へ送信する（Ｓ１８）。制御部５１は、表示装置２０に画像作成機能があるか否かを判定し（Ｓ１９）、画像作成機能がない場合（Ｓ１９でＮＯ）、更新された表示情報を配置するための配置情報を表示装置２０へ送信する（Ｓ２０）。表示装置２０に画像作成機能がある場合（Ｓ１９でＹＥＳ）、制御部５１は、後述のステップＳ２１の処理を行う。
【００７９】
制御部５１は、処理を終了するか否かを判定し（Ｓ２１）、処理を終了しない場合（Ｓ２１でＮＯ）、ステップＳ１５以降の処理を続け、処理を終了する場合（Ｓ２１でＹＥＳ）、処理を終了する。
【００８０】
上述のとおり、本実施の形態によれば、更新が必要な表示情報（オブジェクト）のみを表示装置２０へ送信することによって、通信データを削減することができる。また、表示装置２０が、無電源状態でも表示保持可能な表示媒体である場合、更新が必要な表示情報だけを表示書き替えを行なえばよいので、表示装置２０の消費電力を削減することが可能となる。また、表示装置２０に表示する配信情報の中で更新された表示情報の表示態様を異ならせるように構成したので、更新箇所を容易に識別、把握することができる。
【００８１】
（第２実施形態）
図２２は第２実施形態の情報配信システム２００の構成の一例を示すブロック図であり、図２３は第２実施形態の表示装置１２０の構成の一例を示すブロック図である。第１実施形態との主な相違点は、情報配信装置５０の判定部５３及び変更部５６の機能を表示装置１２０に組み込んだ点であり、情報配信装置１５０は、判定部５３及び変更部５６を具備せず、表示装置１２０は、判定部２４、変更部２５を備える。また、表示装置１２０は、記憶部２６を備える。
【００８２】
通信部２２は、表示情報取得部としての機能を有し、情報配信装置１５０が送信した複数の表示情報を受信（取得）する。判定部２４は、通信部２２で受信した表示情報が更新されたか否かを判定する。
【００８３】
表示部２１は、表示処理部２３の制御の下、判定部２４で更新されたと判定した表示情報の表示態様を変更して表示する。表示態様の変更は、例えば、表示情報（又は当該表示情報の背景など）の色の変更、反転表示、点滅表示、拡大表示、ポップアップ画面の表示などを含む。これにより、複数の表示情報で構成される配信情報の中で、どの表示情報が更新されたのかが容易に確認することができ、利用者の利便性が向上する。
【００８４】
記憶部２６は、複数の表示情報それぞれを配置するための複数の配置情報を含むレイアウト情報を記憶する。配置情報は、表示画面に表示される配信情報上で、表示情報がどの位置に配置されるかを示す情報であり、例えば、表示画面の横方向の位置をｘ座標で表し、縦方向の位置をｙ座標で表すことができる。一つの表示情報に一つの配置情報を対応させることができる。
【００８５】
変更部２５は、判定部２４で更新されたと判定した表示情報を配置するための配置情報を変更する。表示情報の更新は、例えば、漢字、ひらがな、英語（ローマ字）などの間での変更を含む。配置情報の変更は、例えば、表示情報を横書きから縦書きに変更する場合、あるいは表示情報を縦書きから横書きに変更する場合などを含む。
【００８６】
表示部２１は、表示処理部２３の制御の下、変更部２５で変更された配置情報に係る表示情報の表示態様を変更して表示する。これにより、更新される表示情報に応じて、適切なレイアウトに変更するとともに、レイアウトが変更された表示情報を容易に確認することができ、利用者の利便性が向上する。
【００８７】
表示処理部２３は、計数部としての機能を有し、任意の表示情報の更新回数又は更新頻度を計数する。表示部２１は、表示処理部２３の制御の下、計数された計数結果に応じて表示情報の表示態様を変更して表示する。例えば、更新回数又は更新頻度が多いほど、より目立ちやすい表示態様で更新された表示情報を表示することができる。これにより、更新回数又は更新頻度の多少を把握することができる。
【００８８】
通信部２２は、通知情報取得部としての機能を有し、情報配信装置１５０が送信した、任意の表示情報の表示態様を変更する旨の通知情報を受信（取得）する。表示部２１は、表示処理部２３の制御の下、受信した通知情報に係る表示情報の表示態様を変更して表示する。これにより、複数の表示情報で構成される配信情報の中で、どの表示情報が更新されたのかを容易に確認することができ、利用者の利便性が向上する。
【００８９】
通信部２２は、表示態様情報取得部としての機能を有し、情報配信装置１５０が送信した、任意の表示情報の表示態様を変更するための表示態様情報を受信（取得）する。表示部２１は、表示処理部２３の制御の下、受信した表示態様情報に基づいて表示情報の表示態様を変更して表示する。表示装置１２０は、表示態様情報に従って、更新された表示情報の表示態様を変更して表示することができる。これにより、複数の表示情報で構成される配信情報の中で、どの表示情報が更新されたのかが容易に確認することができ、利用者の利便性が向上する。
【００９０】
図２４は第２実施形態の表示装置１２０が行う処理手順の一例を示すフローチャートである。以下では、便宜上処理の主体を表示処理部２３として説明する。表示処理部２３は、情報配信装置１５０から配信情報を受信し（Ｓ３１）、受信した配信情報を表示部２１に表示する（Ｓ３２）。
【００９１】
表示処理部２３は、表示情報の更新の有無を判定し（Ｓ３３）、表示情報の更新がある場合（Ｓ３３でＹＥＳ）、配置情報の変更の有無を判定する（Ｓ３４）。配置情報の変更がない場合（Ｓ３４でＮＯ）、表示処理部２３は、当該表示情報の更新回数を計数し（Ｓ３５）、計数結果に応じて、更新された表示情報の表示態様を変更して表示し（Ｓ３６）、後述のステップＳ４２の処理を行う。
【００９２】
配置情報の変更がある場合（Ｓ３４でＹＥＳ）、表示処理部２３は、更新された表示情報の配置及び表示態様を変更して表示し（Ｓ３７）、後述のステップＳ４２の処理を行う。なお、ステップＳ３７の処理を行う場合に、ステップＳ３５の処理も行って、計数結果をさらに考慮して表示態様を変更することもできる。
【００９３】
表示情報の更新がない場合（Ｓ３３でＮＯ）、表示処理部２３は、情報配信装置１５０から表示態様情報を受信したか否かを判定する（Ｓ３８）。表示態様情報を受信した場合（Ｓ３８でＹＥＳ）、表示処理部２３は、受信した表示態様情報に基づいて、当該表示態様情報に係る表示情報の表示態様を変更して表示し（Ｓ３９）、後述のステップＳ４２の処理を行う。これにより、情報配信装置１５０が送信する表示態様情報に応じて、表示情報の表示態様を変更することができる。
【００９４】
表示態様情報を受信していない場合（Ｓ３８でＮＯ）、表示処理部２３は、表示態様変更の旨の通知情報を受信したか否かを判定する（Ｓ４０）。通知情報を受信した場合（Ｓ４０でＹＥＳ）、表示処理部２３は、通知情報に係る表示情報の表示態様を変更して表示し（Ｓ４１）、後述のステップＳ４２の処理を行う。これにより、情報配信装置１５０が表示変更の旨を表示装置１２０へ送信するだけで、表示情報の表示態様を変更することができる。
【００９５】
通知情報を受信していない場合（Ｓ４０でＮＯ）、表示処理部２３は、ステップＳ３１以降の処理を続ける。表示処理部２３は、処理を終了するか否かを判定し（Ｓ４２）、処理を終了しない場合（Ｓ４２でＮＯ）、ステップＳ３１以降の処理を続け、処理を終了する場合（Ｓ４２でＹＥＳ）、処理を終了する。
【００９６】
本実施の形態に係る情報配信装置は、複数の表示情報で構成される配信情報を表示装置へ配信する情報配信装置であって、前記複数の表示情報を取得する取得部と、該取得部で取得した複数の表示情報及び該複数の表示情報それぞれを配置するための複数の配置情報を含むレイアウト情報に基づいて配信情報を生成する生成部と、該生成部で生成した配信情報を前記表示装置へ送信する送信部と、前記取得部で取得した表示情報が更新されたか否かを判定する判定部と、該判定部で表示情報が更新されたと判定した場合、更新された表示情報を前記表示装置へ送信すべく制御する制御部とを備える。
【００９７】
本実施の形態に係るコンピュータプログラムは、コンピュータに、複数の表示情報で構成される配信情報を表示装置へ配信させるためのコンピュータプログラムであって、コンピュータに、前記複数の表示情報を取得する処理と、取得した複数の表示情報及び該複数の表示情報それぞれを配置するための複数の配置情報を含む所定のレイアウト情報に基づいて配信情報を生成する処理と、生成した配信情報を前記表示装置へ送信する処理と、取得した表示情報が更新されたか否かを判定する処理と、表示情報が更新されたと判定した場合、更新された表示情報を前記表示装置へ送信すべく制御する処理とを実行させる。
【００９８】
本実施の形態に係る情報配信方法は、複数の表示情報で構成される配信情報を表示装置へ配信する情報配信方法であって、前記複数の表示情報を取得部が取得し、取得された複数の表示情報及び該複数の表示情報それぞれを配置するための複数の配置情報を含む所定のレイアウト情報に基づいて配信情報を生成部が生成し、生成された配信情報を前記表示装置へ送信部が送信し、取得された表示情報が更新されたか否かを判定部が判定し、表示情報が更新されたと判定された場合、更新された表示情報を前記表示装置へ送信すべく制御部が制御する。
【００９９】
取得部は、複数の表示情報を取得する。配信情報は、複数の表示情報で構成される。表示情報は、オブジェクト又はコンテンツとも称し、例えば、テキスト情報（文字情報）を含む。なお、表示情報には、画像、図形又は記号などを含めることもできる。
【０１００】
生成部は、取得した複数の表示情報及び当該複数の表示情報それぞれを配置するための複数の配置情報を含むレイアウト情報に基づいて配信情報を生成する。配置情報は、表示画面に表示される配信情報上で、表示情報がどの位置に配置されるかを示す情報であり、例えば、表示画面の横方向の位置をｘ座標で表し、縦方向の位置をｙ座標で表すことができる。一つの表示情報に一つの配置情報を対応させることができる。
【０１０１】
送信部は、生成部で生成した配信情報を表示装置へ送信する。判定部は、取得部で取得した表示情報が更新されたか否かを判定する。複数の表示情報で構成される配信情報の中で、一部の表示情報が変更される場合がある。例えば、会議室予約システムで使用される配信情報の場合、場所、会議の目的、会議室の予約者などの表示情報で配信情報が構成される。そして、予約者が変更になった場合には、当該表示情報が変更される。
【０１０２】
制御部は、判定部で表示情報が更新されたと判定した場合、更新された表示情報を表示装置へ送信すべく制御する。更新された表示情報を含む配信情報全体を表示装置へ送信するのではなく、更新された表示情報を送信する（更新されていない表示情報は送信しない）ことにより、情報配信装置と表示装置との間の通信ネットワークに係る通信負荷を低減することができる。
【０１０３】
また、表示装置が、無電源状態でも表示保持可能な表示媒体である場合、更新が必要な表示情報について表示書き替え処理を行なえばよいので、配信情報全体を書き替える場合に比較して、表示装置の消費電力を低減することができる。
【０１０４】
本実施の形態に係る情報配信装置において、前記制御部は、前記判定部で表示情報が更新されたと判定した場合、更新された表示情報を配置するための配置情報を前記表示装置へ送信すべく制御する。
【０１０５】
制御部は、判定部で表示情報が更新されたと判定した場合、更新された表示情報を配置するための配置情報を表示装置へ送信すべく制御する。すなわち、制御部は、更新された表示情報及び該表示情報を配置するための配置情報の両方を表示装置へ送信する。これにより、例えば、表示装置が画像作成機能（例えば、表示情報と配置情報とを対応付けて配置情報が指定する座標に表示情報を組み込むような機能）を具備しない場合でも、表示装置は更新された表示情報を含む配信情報を表示することができる。また、更新された表示情報及び該表示情報を配置するための配置情報だけが表示装置へ送信されるので、情報配信装置と表示装置との間の通信ネットワークに係る通信負荷を低減することができる。
【０１０６】
本実施の形態に係る情報配信装置は、前記判定部で表示情報が更新されたと判定した場合、更新された表示情報を配置するための配置情報を変更する変更部を備え、前記制御部は、前記変更部で変更した配置情報を前記表示装置へ送信すべく制御する。
【０１０７】
変更部は、判定部で表示情報が更新されたと判定した場合、更新された表示情報を配置するための配置情報を変更する。表示情報の更新は、例えば、漢字、ひらがな、英語（ローマ字）などの間での変更を含む。配置情報の変更は、例えば、表示情報を横書きから縦書きに変更する場合、あるいは表示情報を縦書きから横書きに変更する場合などを含む。
【０１０８】
制御部は、変更部で変更した配置情報を表示装置へ送信すべく制御する。すなわち、制御部は、更新された表示情報及び変更した配置情報の両方を表示装置へ送信する。これにより、更新される表示情報に応じて、適切なレイアウトに変更することができる。
【０１０９】
本実施の形態に係る情報配信装置は、複数の表示情報で構成される配信情報を表示装置へ配信する情報配信装置であって、前記複数の表示情報のうちの任意の表示情報が更新されたか否かを判定する判定部と、該判定部で表示情報が更新されたと判定した場合、該表示情報が更新された旨を通知する通知情報、又は更新された表示情報の表示態様を変更するための表示態様情報を前記表示装置へ送信する送信部とを備える。
【０１１０】
本実施の形態に係るコンピュータプログラムは、コンピュータに、複数の表示情報で構成される配信情報を表示装置へ配信させるためのコンピュータプログラムであって、コンピュータに、前記複数の表示情報のうちの任意の表示情報が更新されたか否かを判定する処理と、表示情報が更新されたと判定した場合、該表示情報が変更された旨を通知する通知情報、又は更新された表示情報の表示態様を変更するための表示態様情報を前記表示装置へ送信する処理とを実行させる。
【０１１１】
本実施の形態に係る情報配信方法は、複数の表示情報で構成される配信情報を表示装置へ配信する情報配信方法であって、前記複数の表示情報のうちの任意の表示情報が更新されたか否かを判定部が判定し、表示情報が更新されたと判定した場合、該表示情報が変更された旨を通知する通知情報、又は更新された表示情報の表示態様を変更するための表示態様情報を前記表示装置へ送信部が送信する。
【０１１２】
判定部は、複数の表示情報のうちの任意の表示情報が更新されたか否かを判定する。複数の表示情報で構成される配信情報の中で、一部の表示情報が変更される場合がある。例えば、会議室予約システムで使用される配信情報の場合、場所、会議の目的、会議室の予約者などの表示情報で配信情報が構成される。そして、予約者が変更になった場合には、当該表示情報が変更される。
【０１１３】
送信部は、判定部で表示情報が更新されたと判定した場合、表示情報が更新された旨を通知する通知情報、又は更新された表示情報の表示態様を変更するための表示態様情報を表示装置へ送信する。表示装置は、通知情報を受信した場合、更新された表示情報の表示態様を変更して表示することができる。表示態様の変更は、例えば、表示情報（又は当該表示情報の背景など）の色の変更、反転表示、点滅表示、拡大表示、ポップアップ画面の表示などを含む。また、情報配信装置が表示態様情報を表示装置へ送信することにより、表示態様の変更を情報配信装置側で決定することができる。
【０１１４】
上述の構成により、複数の表示情報で構成される配信情報の中で、どの表示情報が更新されたのかが容易に確認することができ、利用者の利便性が向上する。
【０１１５】
本実施の形態に係る情報配信装置は、任意の表示情報の更新回数又は更新頻度を計数する計数部を備え、前記送信部は、前記計数部で計数した計数結果に応じて異なる表示態様情報を前記表示装置へ送信する。
【０１１６】
計数部は、任意の表示情報の更新回数又は更新頻度を計数する。送信部は、計数部で計数した計数結果に応じて異なる表示態様情報を表示装置へ送信する。例えば、更新回数又は更新頻度が多いほど、より目立ちやすい表示態様で更新された表示情報を表示することができる。これにより、更新回数又は更新頻度の多少を把握することができる。
【０１１７】
本実施の形態に係る情報配信システムは、本実施の形態に係る情報配信装置と、該情報配信装置が配信する配信情報を表示する表示装置とを備える。
【０１１８】
これにより、通信ネットワークに係る通信負荷を低減することができる情報配信システムを実現することができる。
【０１１９】
本実施の形態に係る情報配信システムにおいて、前記表示装置は、前記情報配信装置の送信部が送信した情報を受信する受信部と、該受信部で前記通知情報を受信した場合、受信した通知情報に係る表示情報の表示態様を変更して表示する表示部とを備える。
【０１２０】
表示装置は、情報配信装置の送信部が送信した情報を受信する受信部と、受信部で通知情報を受信した場合、受信した通知情報に係る表示情報の表示態様を変更して表示する表示部とを備える。表示態様の変更は、例えば、表示情報（又は当該表示情報の背景など）の色の変更、反転表示、点滅表示、拡大表示、ポップアップ画面の表示などを含む。これにより、複数の表示情報で構成される配信情報の中で、どの表示情報が更新されたのかが容易に確認することができ、利用者の利便性が向上する。
【０１２１】
本実施の形態に係る情報配信システムにおいて、前記表示装置は、前記情報配信装置の送信部が送信した情報を受信する受信部と、該受信部で前記表示態様情報を受信した場合、受信した表示態様情報に基づいて該表示態様情報に係る表示情報の表示態様を変更して表示する表示部とを備える。
【０１２２】
表示装置は、情報配信装置の送信部が送信した情報を受信する受信部と、受信部で表示態様情報を受信した場合、受信した表示態様情報に基づいて当該表示態様情報に係る表示情報の表示態様を変更して表示する表示部とを備える。表示装置が、表示態様情報を受信することにより、表示装置は、表示態様情報に従って、更新された表示情報の表示態様を変更して表示することができる。これにより、複数の表示情報で構成される配信情報の中で、どの表示情報が更新されたのかが容易に確認することができ、利用者の利便性が向上する。
【０１２３】
本実施の形態に係る表示装置は、複数の表示情報で構成される配信情報を表示する表示部を備える表示装置であって、前記複数の表示情報を取得する表示情報取得部と、該表示情報取得部で取得した表示情報が更新されたか否かを判定する判定部とを備え、前記表示部は、前記判定部で更新されたと判定した表示情報の表示態様を変更して表示する。
【０１２４】
表示情報取得部は、複数の表示情報を取得する。配信情報は、複数の表示情報で構成される。表示情報は、オブジェクト又はコンテンツとも称し、例えば、テキスト情報（文字情報）を含む。なお、表示情報には、画像、図形又は記号などを含めることもできる。
【０１２５】
判定部は、表示情報取得部で取得した表示情報が更新されたか否かを判定する。複数の表示情報で構成される配信情報の中で、一部の表示情報が変更される場合がある。例えば、会議室予約システムで使用される配信情報の場合、場所、会議の目的、会議室の予約者などの表示情報で配信情報が構成される。そして、予約者が変更になった場合には、当該表示情報が変更される。
【０１２６】
表示部は、判定部で更新されたと判定した表示情報の表示態様を変更して表示する。表示態様の変更は、例えば、表示情報（又は当該表示情報の背景など）の色の変更、反転表示、点滅表示、拡大表示、ポップアップ画面の表示などを含む。これにより、複数の表示情報で構成される配信情報の中で、どの表示情報が更新されたのかが容易に確認することができ、利用者の利便性が向上する。
【０１２７】
本実施の形態に係る表示装置は、前記複数の表示情報それぞれを配置するための複数の配置情報を含むレイアウト情報を記憶する記憶部と、前記判定部で更新されたと判定した表示情報を配置するための配置情報を変更する変更部とを備え、前記表示部は、前記変更部で変更された配置情報に係る表示情報の表示態様を変更して表示する。
【０１２８】
記憶部は、複数の表示情報それぞれを配置するための複数の配置情報を含むレイアウト情報を記憶する。配置情報は、表示画面に表示される配信情報上で、表示情報がどの位置に配置されるかを示す情報であり、例えば、表示画面の横方向の位置をｘ座標で表し、縦方向の位置をｙ座標で表すことができる。一つの表示情報に一つの配置情報を対応させることができる。
【０１２９】
変更部は、判定部で更新されたと判定した表示情報を配置するための配置情報を変更する。表示情報の更新は、例えば、漢字、ひらがな、英語（ローマ字）などの間での変更を含む。配置情報の変更は、例えば、表示情報を横書きから縦書きに変更する場合、あるいは表示情報を縦書きから横書きに変更する場合などを含む。
【０１３０】
表示部は、変更部で変更された配置情報に係る表示情報の表示態様を変更して表示する。これにより、更新される表示情報に応じて、適切なレイアウトに変更するとともに、レイアウトが変更された表示情報を容易に確認することができ、利用者の利便性が向上する。
【０１３１】
本実施の形態に係る表示装置は、任意の表示情報の更新回数又は更新頻度を計数する計数部を備え、前記表示部は、前記計数部で計数した計数結果に応じて前記表示情報の表示態様を変更して表示する。
【０１３２】
計数部は、任意の表示情報の更新回数又は更新頻度を計数する。表示部は、計数部で計数した計数結果に応じて表示情報の表示態様を変更して表示する。例えば、更新回数又は更新頻度が多いほど、より目立ちやすい表示態様で更新された表示情報を表示することができる。これにより、更新回数又は更新頻度の多少を把握することができる。
【０１３３】
本実施の形態に係る表示装置は、任意の表示情報の表示態様を変更する旨の通知情報を取得する通知情報取得部を備え、前記表示部は、前記通知情報取得部で取得した通知情報に係る表示情報の表示態様を変更して表示する。
【０１３４】
通知情報取得部は、任意の表示情報の表示態様を変更する旨の通知情報を取得する。表示部は、通知情報取得部で取得した通知情報に係る表示情報の表示態様を変更して表示する。これにより、複数の表示情報で構成される配信情報の中で、どの表示情報が更新されたのかを容易に確認することができ、利用者の利便性が向上する。
【０１３５】
本実施の形態に係る表示装置は、任意の表示情報の表示態様を変更するための表示態様情報を取得する表示態様情報取得部を備え、前記表示部は、前記表示態様情報取得部で取得した表示態様情報に基づいて前記表示情報の表示態様を変更して表示する。
【０１３６】
表示態様情報取得部は、任意の表示情報の表示態様を変更するための表示態様情報を取得する。表示部は、表示態様情報取得部で取得した表示態様情報に基づいて表示情報の表示態様を変更して表示する。表示装置は、表示態様情報に従って、更新された表示情報の表示態様を変更して表示することができる。これにより、複数の表示情報で構成される配信情報の中で、どの表示情報が更新されたのかが容易に確認することができ、利用者の利便性が向上する。
【符号の説明】
【０１３７】
１０  上位システム
２０、１２０  表示装置
２１  表示部
２２  通信部
２３  表示処理部
２３１  画像作成処理部
２４  判定部
２５  変更部
２６  記憶部
５０、１５０  情報配信装置
５１  制御部
５２  通信部
５３  判定部
５４  記憶部
５５  生成部
５６  変更部
５７１  ＣＰＵ
５７２  ＲＯＭ
５７３  ＲＡＭ
５７４  記録媒体読取部
【図１】
2018180806.tif 000003
【図２】
2018180806.tif 000004
【図３】
2018180806.tif 000005
【図４】
2018180806.tif 000006
【図５】
2018180806.tif 000007
【図６】
2018180806.tif 000008
【図７】
2018180806.tif 000009
【図８】
2018180806.tif 000010
【図９】
2018180806.tif 000011
【図１０】
2018180806.tif 000012
【図１１】
2018180806.tif 000013
【図１２】
2018180806.tif 000014
【図１３】
2018180806.tif 000015
【図１４】
2018180806.tif 000016
【図１５】
2018180806.tif 000017
【図１６】
2018180806.tif 000018
【図１７】
2018180806.tif 000019
【図１８】
2018180806.tif 000020
【図１９】
2018180806.tif 000021
【図２０】
2018180806.tif 000022
【図２１】
2018180806.tif 000023
【図２２】
2018180806.tif 000024
【図２３】
2018180806.tif 000025
【図２４】
2018180806.tif 000026